(57)【要約】【課題】シャッターを閉鎖時にシャッター内側に熱が籠るのを防止できるプロジェクターを提供する。【解決手段】シャッター４が開放位置、閉鎖位置のいずれにあるかを検出するシャッター位置検出手段１５を備え、投写レンズ１３のシャッター４が開放位置にある場合に、切替板８は風ガイド６Ａ，６Ｂの間を塞ぐにように接して、ファン２４の風を全て排気口７に導き、シャッター４が閉鎖位置にある場合に、切替板８が回動して風ガイド６Ａ，６Ｂの間を開放し、ファン２４からの風の一部を投写レンズ１３の近傍に送風し、シャッター内側を冷却することを特徴とするプロジェクター。【選択図】図２
2013190617.tif 000002
【特許請求の範囲】
【請求項１】
光源から射出された光を画像情報に応じて変調し、投写レンズより被投写面に投写する画像投写部と、これらを収容する筐体と、を備えたプロジェクターであって、
前記筐体に備えられ、前記投写レンズを閉塞するシャッターと、
前記シャッターが開放位置、閉鎖位置のいずれの位置にあるかを検出するシャッター位置検出手段と、
前記筐体の内部を冷却するファンと、
前記シャッター位置検出手段の検出結果に基づき、前記シャッターが前記閉鎖位置にあることを検出したときに前記ファンの風を前記投写レンズ周辺に向けて送風するファン制御手段と、
を備えたことを特徴とする、プロジェクター。
【請求項２】
請求項１に記載のプロジェクターであって、
前記シャッターは、前記ファンからの風を前記筐体の外部に排出する通風口を備えたことを特徴とする、プロジェクター。
【請求項３】
光源から射出された光を画像情報に応じて変調し、投写レンズより被投写面に投写する画像投写部と、これらを収容する筐体と、前記筐体に備えられ、前記投写レンズを閉塞するシャッターと、前記筐体の内部を冷却するファンと、を備えたプロジェクターの制御方法であって、
前記シャッターが開放位置、閉鎖位置のいずれの位置にあるかを検出するシャッター位置検出ステップと、
前記シャッター位置検出ステップにより、前記シャッターが前記閉鎖位置にあることを検出したときに前記ファンの風を前記投写レンズ周辺に向けて送風するファン制御ステップと、
を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
従来、プロジェクターを使ったプレゼンテーションにおいて、次のプレゼンテーションへの画像切り替え時に操作中の画面を見せたくない場合など、一時的に画像の投写を中止する画面ミュート機能が使われている。この場合、黒画像を投写したり、スライド式のレンズシャッターを閉じたりすることで画像投写を休止できるプロジェクターが開示されている。レンズシャッターを閉じる場合、光源は点灯しているので、レンズシャッターの内側に熱が籠り、投写レンズ周辺の装置に不具合が生じる恐れがあった。
特許文献１にはレンズカバーに開けられた通気口により、熱い空気が籠るのを防止するプロジェクターが開示されている。
【先行技術文献】
【特許文献】
【０００３】
【特許文献１】特開２００９−３２２２号公報
【発明の概要】
【発明が解決しようとする課題】
【０００４】
しかし、特許文献１のようなプロジェクターでは、通気口がある程度の大きさがないと熱を放出するのが難しく、また、大きすぎればレンズカバーを閉じたときに異物が侵入するという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源から射出された光を画像情報に応じて変調し、投写レンズより被投写面に投写する画像投写部と、これらを収容する筐体と、を備えたプロジェクターであって、前記筐体に備えられ、前記投写レンズを閉塞するシャッターと、前記シャッターが開放位置、閉鎖位置のいずれの位置にあるかを検出するシャッター位置検出手段と、前記筐体の内部を冷却するファンと、前記シャッター位置検出手段の検出結果に基づき、前記シャッターが前記閉鎖位置にあることを検出したときに前記ファンの風を前記投写レンズ周辺に向けて送風するファン制御手段と、を備えたことを特徴とする。
【０００７】
本適用例によれば、画像の投写を休止するために、投写レンズを閉塞するシャッターを閉鎖したとき、投写レンズ周辺にファンの風を送風し冷却するので、シャッターの内側、投写レンズ周辺に熱が籠り、温度が上昇することを防止することが可能となる。また、シャッターを開放して画像を投写しているときは、投写レンズ周辺にはファンの風を送風しないので、熱せられた空気が投写レンズ周辺に対流することによる、投写画像への影響を防止できる。
【０００８】
［適用例２］上記適用例に記載のプロジェクターにおいて、前記シャッターは、前記ファンからの風を前記筐体の外部に排出する通風口を備えたことを特徴とする、プロジェクター。
【０００９】
本適用例によれば、シャッターを閉鎖して、ファンの風を投写レンズ周辺に送風するとき、シャッターに設けられた通風口よりシャッター内側の空気が筐体の外部へ排出されるので、より効果的に投写レンズ周辺を冷却することが可能となる。
【００１０】
［適用例３］本適用例に係るプロジェクターの制御方法は、光源から射出された光を画像情報に応じて変調し、投写レンズより被投写面に投写する画像投写部と、これらを収容する筐体と、前記筐体に備えられ、前記投写レンズを閉塞するシャッターと、前記筐体の内部を冷却するファンと、を備えたプロジェクターの制御方法であって、前記シャッターが開放位置、閉鎖位置のいずれの位置にあるかを検出するシャッター位置検出ステップと、前記シャッター位置検出ステップにより、前記シャッターが前記閉鎖位置にあることを検出したときに前記ファンの風を前記投写レンズ周辺に向けて送風するファン制御ステップと、を有することを特徴とする、プロジェクターの制御方法。
【００１１】
本適用例によれば、画像の投写を休止するために、投写レンズを閉塞するシャッターを閉鎖したとき、投写レンズ周辺にファンの風を送風し冷却するので、シャッターの内側、投写レンズ周辺に熱が籠り、温度が上昇することを防止することが可能となる。また、シャッターを開放して画像を投写しているときは、投写レンズ周辺にはファンの風を送風しないので、熱せられた空気が投写レンズ周辺に対流することによる、投写画像への影響を防止できる。
【図面の簡単な説明】
【００１２】
【図１】プロジェクターの斜視図であり、（ａ）はシャッターが開放位置、（ｂ）はシャッターが閉鎖位置にあるときの状態を示す。
【図２】プロジェクターの平面図であり、（ａ）はシャッターが開放位置、（ｂ）はシャッターが閉鎖位置にあるときの状態を示す。
【図３】プロジェクターの回路構成を示すブロック図。
【図４】プロジェクターが投写中にシャッターの閉鎖を検出したときの動作を示すフローチャート。
【発明を実施するための形態】
【００１３】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１４】
（第１実施形態）
図１は本実施形態のプロジェクターを前方から見た斜視図であり、図１（ａ）はシャッター４が開放位置にあるとき、図１（ｂ）はシャッター４が閉鎖位置にあるときの状態を示す。
図１に示すように、プロジェクター１は、上面２ｔ、前面２ｆなどを有する筐体２によって装置本体が覆われた構成となっている。なお、本実施形態においては、プロジェクター１に対して、投写方向である前面２ｆ方向を前方として説明する。
【００１５】
筐体２の上面２ｔには、ユーザーにより入力操作が行われる複数の操作キーを備えた入力操作手段２３が備えられている。
筐体２の前面２ｆには、筐体２の内部の空気を排出するための排気口７と、開口部３が形成されており、開口部３の内側には、前方に向かって画像光を投写する投写レンズ１３が備えられている。開口部３には、カバー部材としてのシャッター４が開閉可能に備えられており、開口部３をシャッター４で閉塞することによって、投写レンズ１３を保護するとともに投写光を遮光することが可能となっている。
【００１６】
シャッター４は、合成樹脂製で略矩形の板状体であり、その１つの角部には、開閉操作を行うための操作ツマミ４ａが一体的に形成されている。操作ツマミ４ａは、筐体２の上面２ｔに形成されたスリット５から露出しており、そのスリット５に沿って操作ツマミ４ａを左右にスライド操作することによって、シャッター４の開閉を行うことができる。また、操作ツマミ４ａは、筐体２の上面２ｔよりも上方に突出するようになっており、スライド操作を容易にしている。
【００１７】
図１（ａ）に示すように、シャッター４が開放位置にあるとき、シャッター４は、開口部３を開放し、投写レンズ１３が露出する。
図１（ｂ）に示すように、シャッター４が閉鎖位置にあるとき、シャッター４は、開口部３を閉塞する。シャッター４の下部には通風口４ｂが設けられており、シャッター４によって開口部３を閉塞し、投写レンズ１３からの投写光を遮断した状態で、筐体２の内部、投写レンズ１３の近傍の空気を排出可能となっている。
【００１８】
また、筐体２の内側、シャッター４と隣接する部分にはシャッター４の位置を検出する、図示しないフォトセンサーなどで構成されるシャッター位置検出手段１５が配置されており、シャッター４が、開放位置、または閉鎖位置のいずれにあるかを判断することができるようになっている。
【００１９】
図２はシャッター４の開閉とファン２４の送風状態を示す平面図であり、筐体２の上面２ｔから透視した状態を示す。図２（ａ）はシャッター４が開放位置にあるとき、図２（ｂ）はシャッター４が閉鎖位置にあるときの状態を示す。なお、図２は簡略化したものであり、筐体２の内部の全ての装置を表すものではない。
図２に示すように、筐体２の内部にはファン２４の風を排気口７に導くための壁状の風ガイド６Ａ，６Ｂが形成されている。風ガイド６Ａ，６Ｂの間には、ファン２４の風を切り替える板状の切替板８が備えられている。切替板８の一端はシャッター４の一端と連結しており、切替板８はシャッター４の開閉動作に連動し、軸８ｐを中心にして回動するようになっている。
図２（ａ）に示すように、シャッター４が開放位置にあるときは、切替板８は風ガイド６Ａ，６Ｂの間を塞ぐにように接しており、ファン２４の風を全て排気口７に導く。
図２（ｂ）に示すように、シャッター４を閉鎖位置に移動させると、切替板８が回動して風ガイド６Ａ，６Ｂの間を開放し、ファン２４の風の一部を投写レンズ１３の近傍に導く。
【００２０】
図３は、本実施形態のプロジェクター１の回路構成を示すブロック図である。
図３に示すように、プロジェクター１は、画像投写手段１０、シャッター位置検出手段１５、ＯＳＤ処理手段１６、画像信号処理手段１７、画像信号入力手段１８、制御手段２０、記憶手段２１、光源制御手段２２、入力操作手段２３、ファン２４、ファン制御手段２５、電源端子３０、電源部３１等で構成されており、これらは筐体２（図１）の内部、または外面に収容されている。
【００２１】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによってスクリーンＳＣ等に画像を表示する。
【００２２】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２４】
本実施形態では、光源として光源ランプ１１ａを用いて投写するプロジェクター１を例示したが、本発明は、光源としてＬＥＤ（Light emitting diode）光源やレーザー光源などを用いて投写するプロジェクターにも適用することができる。
【００２５】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２６】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。また、制御手段２０は、時間を計時するタイマー２０１を備える。
【００２７】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００２８】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー等がある。
【００２９】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信部（図示せず）と遠隔操作が可能なリモートコントローラー（図示せず）を有した構成としてもよい。
この場合、リモートコントローラーは、使用者の操作内容に応じた赤外線等の操作信号を発し、リモコン信号受信手段がこれを受信して制御情報として制御手段２０に伝達する。
【００３０】
画像信号入力手段１８は、上述したように複数の画像入力端子を備えており、各画像入力端子より、ビデオ再生装置やパーソナルコンピューター等、外部機器から、図示しないケーブルを介して画像情報が入力される。なお、画像信号入力手段１８は、無線通信や光通信などの受信部を備え、外部機器から無線によって画像信号を入力する構成にしてもよい。
【００３１】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３２】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３３】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３４】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３５】
光源制御手段２２は、制御手段２０の指示に基づいて、光源１１に対する電力の供給と、停止と、を制御し、光源１１の点灯、及び消灯を切り替える。
【００３６】
シャッター位置検出手段１５は、フォトセンサーや磁気センサー、メカスイッチなどで構成され、シャッター４を操作ツマミ４ａでスライド移動したときの位置が開放位置、または閉鎖位置のいずれの位置にあるかを検出し、その検出結果を制御手段２０に出力する。
【００３７】
ファン制御手段２５は、制御手段２０の指示に基づいて、ファン２４の回転動作の開始、停止の制御を行い、ファン２４により筐体２の内部の空気を排気口７より排出し、またシャッター４が閉鎖されたときに投写レンズ１３の近傍を冷却するために送風させる。
【００３８】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。
また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３９】
次に、本実施形態のプロジェクター１の動作を図４のフローチャートを用いて説明する。なお、本実施形態において、画像の投写を休止するために所定の画像（ミュート画像）を画像投写手段１０により投写していることを、ミュート状態と表現する。
図４はプロジェクター１が投写中にシャッター４が閉鎖位置に移動したことを検出したときの動作を示すフローチャートである。
図４に示すように、プロジェクター１が動作中にシャッター４が閉鎖位置に移動したことを検出すると（ステップＳ１０１）、ステップＳ１０２に遷移する。ステップＳ１０１、および後述するステップＳ１０５がシャッター位置検出ステップに相当する。
【００４０】
ステップＳ１０２において、図２で説明したように切替板８が回動し、ファン２４の風を投写レンズ１３の近傍へ送風開始する（ステップＳ１０２）。次にステップＳ１０３に遷移する。ステップＳ１０２がファン制御ステップに相当する。
【００４１】
ステップＳ１０３において制御手段２０は、所定のミュート画像を画像投写手段１０により投写させてプロジェクター１をミュート状態にし、ステップＳ１０４に遷移する。
【００４２】
ステップＳ１０４において制御手段２０は、タイマー２０１による計時を開始し、ステップＳ１０５に遷移する。
【００４３】
ステップＳ１０５において制御手段２０は、シャッター４が開放位置に移動したか否かを調べる。シャッター４が開放位置に移動した場合（ステップＳ１０５：Ｙ）、ステップＳ１１０に遷移する。シャッター４が開放位置に移動していない場合（ステップＳ１０５：Ｎ）、ステップＳ１０６に遷移する。
【００４４】
ステップＳ１０６において制御手段２０は、タイマー２０１による計時が時間Ｔ１（たとえば５分）を経過したか否かを調べる。タイマー２０１が時間Ｔ１を経過した場合（ステップＳ１０６：Ｙ）、ステップＳ１０７に遷移する。タイマー２０１が時間Ｔ１を経過していない場合（ステップＳ１０６：Ｎ）、ステップＳ１０５に遷移する。
【００４５】
ステップＳ１０７において制御手段２０は、光源制御手段２２により光源１１を消灯させ、ステップＳ１０８に遷移する。
【００４６】
ステップＳ１０８において制御手段２０は、プロジェクター１の電源をオフしてスタンバイ状態に移行させ、本動作フローを終了する。
【００４７】
ステップＳ１１０において、図２で説明したように切替板８が回動してファン２４による投写レンズ１３近傍への送風を終了し、ステップＳ１１１に遷移する。
【００４８】
ステップＳ１１１において制御手段２０は、タイマー２０１による計時を停止し、ステップＳ１１２に遷移する。
【００４９】
ステップＳ１１２において制御手段２０は、画面のミュート状態を終了させて、画像信号入力手段１８に入力される画像信号に基づく画像を画像投写手段１０により投写させ、ステップＳ１１３に遷移する。
【００５０】
ステップＳ１１３において本動作フローを終了する。
【００５１】
以上説明したように、本実施形態のプロジェクター１によれば、画像の投写を休止するために投写レンズ１３を閉塞するシャッター４を閉鎖したとき、投写レンズ１３の周辺にファン２４の風を送風し冷却するので、シャッター４の内側、投写レンズ１３の周辺に熱が籠り、温度が上昇することを防止することが可能となる。
また、シャッター４を開放して画像を投写しているときは、投写レンズ１３周辺にはファン２４の風を送風しないので、熱せられた空気が投写レンズ１３の周辺に対流することによる、投写画像への影響を防止できる。
また、シャッター４を閉鎖して、ファン２４の風を投写レンズ１３の周辺に送風するとき、シャッター４に設けられた通風口４ｂよりシャッター４の内側の空気が筐体２の外部へ排出されるので、より効果的に投写レンズ１３の周辺を冷却することが可能となる。
【００５２】
また、上記実施形態は、以下のように変更してもよい。
（変形例１）
上述した実施形態では、シャッター４を閉鎖したときに投写レンズ１３の周辺にファン２４の風の一部を送風するために、シャッター４に連動する切替板８を用いているが、投写レンズ１３の近傍を冷却する専用のファンを備え、シャッター４の閉鎖を検出したときに送風させるようにしてもよい。
【符号の説明】
【００５３】
１…プロジェクター、２…筐体、３…開口部、４…シャッター、４ａ…操作ツマミ、４ｂ…通風口、６Ａ，６Ｂ…風ガイド、７…排気口、８…切替板、８ｐ…軸、１０…画像投写手段、１１…光源、１２Ｒ，１２Ｇ，１２Ｂ…液晶ライトバルブ、１３…投写レンズ、１４…液晶駆動手段、１５…シャッター位置検出手段、１６…ＯＳＤ処理手段、１７…画像信号処理手段、１８…画像信号入力手段、２０…制手段部、２１…記憶手段、２２…光源制御手段、２３…入力操作手段、３０…電源端子、３１…電源部。
【図１】
2013190617.tif 000003
【図２】
2013190617.tif 000004
【図３】
2013190617.tif 000005
【図４】
2013190617.tif 000006